(57)【特許請求の範囲】
【請求項１】
複数の取引処理装置と、該取引処理装置を管理する精査装置とを備えた精査システムであって、
前記取引処理装置は、
貨幣の金種を識別する識別手段と、
貨幣について、搬送方向の長さ、搬送方向と直角方向の長さ、厚さ、面積、及び体積の少なくともいずれかを測定するとともに、測定した値に基づいて貨幣の枚数を判別する枚数判別手段と、
前記識別手段が金種を識別できなかった貨幣をリジェクトカセットに収納する収納手段と、
前記リジェクトカセットが該本体から引き抜かれたことを検知する検知手段と、
前記収納手段が前記リジェクトカセットに収納した貨幣であって、且つ前記枚数判別手段で枚数を判別することができた貨幣について、金種毎に枚数を対応付けたリジェクト貨幣情報と、前記収納手段が前記リジェクトカセットに収納した貨幣であって、且つ前記枚数判別手段で枚数を判別することができなかった貨幣の有無を示す不明貨幣有無情報と、前記リジェクトカセットが該本体から引き抜かれたことを前記検知手段で検知したかどうかを示すリジェクトカセット抜取情報と、を管理するリジェクト貨幣管理手段と、
前記精査装置から精査の実行を指示されると、前記金種別カセットに収納されている貨幣の枚数を金種毎に計数する計数手段と、
前記リジェクト貨幣管理手段が管理する前記リジェクト貨幣情報、前記不明貨幣有無情報、およびリジェクトカセット抜取情報と、前記計数手段が計数した金種毎の貨幣の枚数と、を精査結果として前記精査装置へ出力する精査結果出力手段と、を備え、
前記精査装置は、
前記取引処理装置での取引結果に基づいて算出された該取引処理装置に収納されている貨幣の金種毎の枚数と、前記取引処理装置からの精査結果と、を用いて、この取引処理装置に収納されている貨幣の金種毎の枚数が適正であるかどうか判定する判定手段と、
前記判定手段が判定した判定結果を出力する出力手段と、を備える精査システム。
【請求項２】
前記精査装置の判定手段は、前記収納手段が前記リジェクトカセットに収納した貨幣であって、且つ前記枚数判別手段で枚数を判別することができなかった貨幣が有った前記取引処理装置の判定結果を、不明紙幣有りにする、請求項１に記載の精査システム。
【請求項３】
前記精査装置の判定手段は、前記リジェクトカセットが該本体から引き抜かれたことを前記検知手段で検知している前記取引処理装置の判定結果を、リジェクトカセット抜取有りにする、請求項１、または２に記載の精査システム。
【請求項４】
前記取引処理装置の検知手段は、本体の電源オフ時に、前記リジェクトカセットが該本体から引き抜かれたことを検知する、請求項１〜３のいずれかに記載の精査システム。
【発明の詳細な説明】
【技術分野】
【０００１】
この発明は、ＡＴＭ等の取引処理装置内に収納されている貨幣を精査する精査システムに関する。
【背景技術】
【０００２】
従来、ＡＴＭ等の取引処理装置では、入出金取引時に生じる可能性がある入出金の誤りの有無を調べるために、定期的に装置内に収納されている貨幣の金種、及び枚数を調べて、入出金取引により変動する取引処理装置の現金保有量に誤りがないかを精査している（例えば、特許文献１参照。）。
【０００３】
例えば、特許文献１に記載された貨幣処理装置では、金種別に貨幣を収納する金種別カセット、リジェクト貨幣を収納するリジェクト部、及び一時的な収納部であるプール部を備える。貨幣処理装置は、遠隔地にいる係員の操作に応じて、金種別カセットに収納されている貨幣を調べ、金種別の枚数、及び総額を調べる。その後、貨幣処理装置は、リジェクト貨幣が発生すると、リジェクト部ではなくプール部にリジェクト貨幣を収納する。貨幣処理装置は、プール部にリジェクト貨幣を収納することで、金種別カセットに収納されている貨幣を調べた時点でのリジェクト貨幣を確定している。そして、係員がリジェクト部に収納されているリジェクト貨幣を調べることで精査が完了する。
【先行技術文献】
【特許文献】
【０００４】
【特許文献１】特開２０００−２０７６０９号公報
【発明の概要】
【発明が解決しようとする課題】
【０００５】
特許文献１に記載された貨幣処理装置では、金種別カセットに収納された貨幣を調べてから、係員が装置の設置場所にて、リジェクト部に収納されたリジェクト貨幣を調べるまでの間も、装置を稼働させることができる。しかし、一定期間毎に精査を行うため、係員は、貨幣処理装置の設置場所へ定期的に行かなければならない。
【０００６】
そこで、遠隔地にて係員が金種別カセット及びリジェクト部に収納されている貨幣を精査することができ、取引処理装置の設置場所へ行ってリジェクト部の貨幣を確認する手間を不要とする精査システムを提供することを目的とする。
【課題を解決するための手段】
【０００７】
この発明の精査システムは、複数の取引処理装置と、該取引処理装置を管理する精査装置とを備えている。
取引処理装置は、貨幣の金種を識別した後、識別できなかった貨幣をリジェクト貨幣としてリジェクトカセットに収納する。取引処理装置は、識別できなかった貨幣について、搬送方向の長さ、搬送方向と直角方向の長さ、厚さ、面積、及び体積の少なくともいずれかを測定して、貨幣の枚数を判別する。
【０００８】
例えば、取引処理装置は、搬送路上に搬送方向と直交するように複数のセンサを配置し、当該センサにて搬送される貨幣の厚みを検出する。取引処理装置は、センサが検出した貨幣の厚みと、センサが検出している時間（すなわち、貨幣の搬送方向の距離）と、に基づいて貨幣の体積を測定する。そして、取引処理装置は、測定した体積が、１枚の貨幣の体積のｎ倍の場合は、ｎ枚の貨幣が搬送されていると判別する。
【０００９】
そして取引処理装置は、リジェクト貨幣（収納手段がリジェクトカセットに収納した貨幣）の枚数を管理する。
【００１０】
これにより、取引処理装置は、複数枚の紙幣が同時に搬送された場合や、紙幣が傾いて搬送された場合であっても、搬送された紙幣の枚数を判別することができ、リジェクトカセットに収納した貨幣であっても、枚数を判別できた貨幣については、その枚数を管理することができる。
【００１１】
なお、出金時に、金種毎に貨幣を収納する金種別カセットから繰り出した貨幣にリジェクト貨幣が含まれる場合、リジェクト貨幣を繰り出した金種別カセットに基づいて金種を判断すればよい。
【００１３】
また、入金時には、金種を識別して貨幣が一時保留部に収納し、この一時保留部に収納した貨幣を取引完了後に再度識別して金種別カセットに収納する。したがって、入金時には、一時保留部に収納した貨幣の金種毎の枚数と、再度識別できた金種毎の枚数と、の差分を、リジェクト貨幣（識別できなかった貨幣）として、当該リジェクト貨幣の金種毎の枚数を管理すればよい。
【００１５】
また、検知手段が、リジェクトカセットが本体から引き抜かれたことを検知する。この検知手段は、例えば、取引処理装置は、リジェクトカセットが本体から引き抜かれると可動するレバーと、当該レバーの可動を検知するセンサとを備え、電源オフ時に、リジェクトカセットが本体から引き抜かれると、レバーが可動する構成である。このように構成した場合、取引処理装置は、電源オン後に、当該レバーの可動をセンサを用いて検知して、電源オフ時にリジェクトカセットが引き抜かれたことを検知することができる。
【００１６】
取引処理装置は、リジェクトカセットが引き抜かれたことを検知することができるため、リジェクトカセットに収納された管理している貨幣が抜かれている可能性があることが分かる。
【００１７】
また、この発明の取引処理装置は、リジェクト貨幣管理手段において、収納手段が前記リジェクトカセットに収納した貨幣であって、且つ枚数判別手段で枚数を判別することができた貨幣について、金種毎に枚数を対応付けたリジェクト貨幣情報と、収納手段がリジェクトカセットに収納した貨幣であって、且つ枚数判別手段で枚数を判別することができなかった貨幣の有無を示す不明貨幣有無情報と、リジェクトカセットが該本体から引き抜かれたことを検知手段で検知したかどうかを示すリジェクトカセット抜取情報と、を管理する。
そして、計数手段が、精査装置から精査の実行を指示されると、金種別カセットに収納されている貨幣の枚数を金種毎に計数し、精査結果出力手段が、リジェクト貨幣管理手段が管理するリジェクト貨幣情報、不明貨幣有無情報、およびリジェクトカセット抜取情報と、計数手段が計数した金種毎の貨幣の枚数と、を精査結果として精査装置へ出力する。
【００１８】
これにより、取引処理装置は、自動で自装置内に収納されている貨幣の精査を行うことができる。このため、係員は、取引処理装置が設置された場所に行かなくても、遠隔地から当該取引処理装置の精査を行うことができる。
【００２１】
この発明の取引処理装置は、入出金取引に応じて貨幣の金種毎の枚数を記憶しておき、精査手段が精査した結果（自装置内に収納されている貨幣の金種毎の枚数）と、入出金取引に応じて記憶している貨幣の金種毎の枚数が一致するかを判定して、その判定結果も含めた精査結果を出力する構成としてもよい。
【００２２】
これにより、取引処理装置は、自装置内に収納されている貨幣に過不足がないかを自動で判定することができる。
【００２３】
精査装置は、取引処理装置からの入出金取引に基づく情報から、当該取引処理装置に収納されているはずの貨幣の金種毎の枚数を管理する。そして、精査装置は、取引処理装置からの精査結果と、当該取引処理装置に収納されているはずの貨幣の金種毎の枚数と、を用いて取引処理装置に収納されている貨幣の金種毎の枚数が適正であるかどうかを判定し、その判定結果を出力する。
【００２４】
これにより、精査システムでは、精査装置から取引処理装置へ精査の指示を行うだけで、当該取引処理装置内に収納されている貨幣に過不足がないかを判定することができる。
【発明の効果】
【００２５】
この発明によれば、遠隔地にて係員が金種別カセット及びリジェクト部に収納されている貨幣を精査することができ、取引処理装置の設置場所へ行ってリジェクト部の貨幣を確認する手間を不要とすることができる。
【図面の簡単な説明】
【００２６】
【図１】取引処理装置の機能、構成を示すブロック図である。
【図２】取引処理装置の内部構成を示す図である。
【図３】リジェクト情報管理テーブルの一例を示す図である。
【図４】精査端末、取引処理装置、及びホストコンピュータにおける各処理の関係を示す図である。
【図５】補充処理の処理フローを示すフローチャートである。
【図６】出金処理の処理フローを示すフローチャートである。
【図７】入金処理の処理フローを示すフローチャートである。
【図８】入金処理の処理フローを示すフローチャートである。
【図９】紙幣識別部における紙幣の枚数を判別する機構の説明図である。
【図１０】紙幣が傾かずに搬送された例を示す。
【図１１】紙幣が傾かずに搬送された例を示す。
【図１２】紙幣が傾いて搬送された例を示す。
【図１３】紙幣が傾いて搬送された例を示す。
【図１４】２枚の紙幣が同時に搬送された例を示す。
【図１５】２枚の紙幣が同時に搬送された例を示す。
【図１６】精査判定処理の処理フローを示すフローチャートである。
【図１７】精査一覧画面の一例を示す図である。
【図１８】精査処理の処理フローを示すフローチャートである。
【図１９】計数処理の処理フローを示すフローチャートである。
【図２０】リジェクトカセットの格納時の説明図である。
【図２１】リジェクトカセットの抜き取り時の説明図である。
【図２２】精査表の一例を示す図である。
【発明を実施するための形態】
【００２７】
この発明の実施形態に係る取引処理装置２（例えば、ＡＴＭや両替機等）、及び取引処理装置２の精査を遠隔地から行う精査端末１からなる精査システムについて図を参照して説明する。図１は、取引処理装置の機能、構成を示すブロック図である。図２は、取引処理装置の内部構成を示す図である。
【００２８】
図１に示すように、取引処理装置２は、精査端末１及びホストコンピュータ３とネットワークを介して接続されている。なお、精査端末１及びホストコンピュータ３に接続される取引処理装置２の台数は１台に限らない。また、この発明に係る精査装置は、精査端末１及びホストコンピュータ３からなる。
【００２９】
ホストコンピュータ３は、例えば、各ユーザの口座における残高の管理や、各取引処理装置２の現在高を管理している。精査端末１は、取引処理装置２に対して、精査を指示するとともに、ホストコンピュータ３に対して、当該取引処理装置２の現在高を通知するよう指示する。精査端末１は、取引処理装置２からの精査結果と、ホストコンピュータ３からの現在高と、に基づいて精査判定を行い、当該判定結果をモニタ（不図示）に表示する。
【００３０】
取引処理装置２は、制御部２１、表示・操作部２２、カード・明細書処理部２３、通帳処理部２４、紙幣処理部２５、硬貨処理部２６、及び通信部２７を備える。
【００３１】
制御部２１は、取引処理装置２本体各部の動作を制御する。例えば、制御部２１は、通信部２７を介して精査端末１から精査の指示を受け付けると、紙幣処理部２５及び硬貨処理部２６に精査処理を実行させる。
【００３２】
表示・操作部２２は、本体正面に設けた表示器、及びこの表示器の画面上に貼付したタッチパネルを有している。表示・操作部２２は、利用者に対する操作案内画面を表示器に表示する。また、表示・操作部２２は、タッチパネルの押下位置を検知することにより、暗証番号や取引内容（取引種別、入出金金額等）にかかる利用者の入力操作を受け付ける。
【００３３】
カード・明細書処理部２３は、本体正面に設けたカード挿入口に挿入されたキャッシュカード（以下、単にカードと称す。）を取り込み、このカードの磁気ストライプに記録されているカード情報（金融機関番号、店舗番号、口座番号等）の読み取りや、カード情報の書き換え等を行う。また、挿入されたカードがＩＣカードである場合には、必要に応じて、そのカードのＩＣチップに記録されているデータの読み取りや、書き換えも行う。更に、カード・明細書処理部２３は、取引内容を明細書に印字する印字部（不図示）を有する。カード・明細書処理部２３は、取引内容を印字した明細書を本体正面に設けた明細書放出口に放出する。
【００３４】
通帳処理部２４は、本体正面に設けた通帳挿入口に挿入された通帳を取り込み、この通帳に対して取引履歴を印字する印字部（不図示）を有している。また、通帳処理部２４は、取り込んだ通帳のページを捲るページ捲り機構や、通帳に印刷されているページ番号を示すバーコードを読み取るバーコードリーダ、通帳に貼付されている磁気ストライプに記録されている通帳情報（金融機関番号、店舗番号、口座番号等）を読み取る磁気ヘッド等も有している。
【００３５】
図２に示すように、紙幣処理部２５は、本体正面に設けた入出金口２０１と、本体内部に収納されている紙幣カセット２０４Ａ〜紙幣カセット２０４Ｃと、の間に形成した紙幣搬送路Ｌに沿って紙幣Ｓを搬送する。本実施形態においては、紙幣カセット２０４Ａ、紙幣カセット２０４Ｂは、１万円札を収納するカセットであり、紙幣カセット２０４Ｃは、千円札を収納するカセットであるとして説明する。
【００３６】
紙幣処理部２５は、紙幣搬送路Ｌに沿って搬送している紙幣Ｓ毎に、金種及び真偽を識別する紙幣識別部２０２、及び紙幣Ｓを一時収納する一時保留部２０３を備える。紙幣識別部２０２は、紙幣から読み取った磁気パターンや、透過光パターン等に基づいて金種及び真偽を識別する。また、紙幣識別部２０２は、紙幣の形状や厚み等から枚数を判別する。
【００３７】
紙幣処理部２５は、紙幣カセット２０４Ａ〜紙幣カセット２０４Ｃに紙幣を補充する補充用カセット２０６（補充する紙幣Ｓが収納されている補充部２０６Ａ、補充時に識別できなかった紙幣Ｓを収納する補充リジェクト部２０６Ｂ）、及びリジェクト紙幣を収納するリジェクトカセット２０５を備える。また、紙幣処理部２５は、リジェクトカセット２０５が抜き差しされたかを検知する検知部（不図示）を備える。
【００３８】
紙幣処理部２５は、メモリ（不図示）を備え、リジェクトカセット２０５に収納されているリジェクト紙幣の金種毎の枚数等を記憶するリジェクト情報管理テーブル（図３参照）を記憶する。図３は、リジェクト情報管理テーブルの一例を示す図である。図３に示すように、リジェクト紙幣には、紙幣識別部２０２が識別できず、万円札、千円札と推定された紙幣Ｓと、紙幣カセット２０４Ａ〜紙幣カセット２０４Ｃに収納できない５千円札、２千円札等の紙幣Ｓと、が含まれる。また、紙幣処理部２５の処理の詳細については、後述する。
【００３９】
硬貨処理部２６は、本体正面に設けた硬貨入出金口と、本体内部に収納されている硬貨カートリッジと、の間に形成された硬貨搬送路に沿って硬貨を搬送する。また、硬貨処理部２６は、硬貨搬送路に沿って搬送している硬貨毎に、金種、及び真偽を識別する硬貨識別部を有している。
【００４０】
硬貨処理部２６は、メモリ（不図示）を備え、リジェクト硬貨収納部（不図示）に収納されているリジェクト硬貨の金種毎の枚数等を記憶するリジェクト情報管理テーブルを記憶する。リジェクト硬貨とは、硬貨識別部が識別できなかった硬貨のことである。
【００４１】
通信部２７は、制御部２１の指示に基づいて、精査端末１やホストコンピュータ３との通信を行う。
【００４２】
まず、精査端末１、取引処理装置２、及びホストコンピュータ３との関係について図４を参照して説明する。図４は、精査端末、取引処理装置、及びホストコンピュータにおける各処理の関係を示す図である。なお、精査端末１及びホストコンピュータ３が本発明の精査装置に相当する。以下、紙幣Ｓに対する各種処理について説明する。
【００４３】
図４に示すように、取引処理装置２は、自装置内に収納している紙幣Ｓの枚数が変動する処理（例えば、紙幣カセット２０４Ａ〜紙幣カセット２０４Ｃへ紙幣Ｓを補充するための補充処理、ユーザによる出金処理、及びユーザによる入金処理）を行うと、当該処理の取引額（例えば、補充した金額、出金取引金額、及び入金取引金額）をホストコンピュータ３に通知する。そして、ホストコンピュータ３は、取引額に応じて、取引処理装置２の現在高を更新する。以上より、ホストコンピュータ３は、各取引処理装置２の現在高（取引処理装置２に収納されている金額）を管理することができる。
【００４４】
また、精査端末１は、取引処理装置２に収納されている紙幣Ｓの金種毎の枚数が正しいかを調べる精査判定処理を行う。精査端末１は、取引処理装置２に対して、精査処理を行うよう精査指示を行うとともに、ホストコンピュータ３に対して、現在高を通知するよう現在高通知指示を行う。取引処理装置２は、リジェクトカセット２０５の抜き取りの有無、及び自装置内に収納されている紙幣Ｓの金種毎の枚数を調べる精査処理を行い、精査結果を精査端末１へ通知する。また、ホストコンピュータ３は、当該取引処理装置２の現在高を通知する。精査端末１は、取引処理装置２からの精査結果と、ホストコンピュータ３からの現在高と、に基づいて、当該取引処理装置２に収納されている紙幣Ｓの金種毎の枚数が正しいかを判定することができる。
【００４５】
次に、上述した各処理（補充処理、出金処理、入金処理、精査判定処理）の詳細について図５〜図１８を参照して説明する。
【００４６】
まず、補充処理の詳細について、図５を参照して説明する。図５は、補充処理の処理フローを示すフローチャートである。取引処理装置２の紙幣処理部２５は、係員が補充用カセット２０６をセットすると、図５に示す補充処理を行う。そして、係員は、取引処理装置２の補充処理が完了すると、補充用カセット２０６から現金を取り出す。なお、取引処理装置２は、運用時、自装置内に空の補充用カセット２０６を格納している。
【００４７】
図５に示すように、取引処理装置２の紙幣処理部２５は、金種毎のカウンタをリセットする（Ｓ１０１）。この金種毎のカウンタは、補充する紙幣の金種毎の枚数をカウントする。
【００４８】
紙幣処理部２５は、補充用カセット２０６の補充部２０６Ａから紙幣Ｓを１枚ずつ繰り出し（Ｓ１０２）、紙幣Ｓの金種を紙幣識別部２０２にて識別する（Ｓ１０３）。この際、紙幣識別部２０２は、紙幣Ｓの真偽についても識別する。
【００４９】
紙幣処理部２５は、紙幣識別部２０２にて紙幣Ｓの金種を識別できる（Ｓ１０４：Ｙｅｓ）と、紙幣Ｓの金種に応じたカウンタをカウントアップする（Ｓ１０５）。紙幣処理部２５が、紙幣カセット２０４Ａ〜紙幣カセット２０４Ｃのうち、該当する紙幣カセットに紙幣Ｓを収納して（Ｓ１０６）、Ｓ１０８へ進む。具体的には、紙幣処理部２５は、紙幣Ｓが１万円札なら、紙幣カセット２０４Ａ又は紙幣カセット２０４Ｂに収納し、紙幣Ｓが千円札なら、紙幣カセット２０４Ｃに収納する。
【００５０】
また、紙幣処理部２５は、紙幣識別部２０２にて紙幣Ｓの金種を識別できなかった場合に（Ｓ１０４：Ｎｏ）、補充用カセット２０６の補充リジェクト部２０６Ｂへ収納して（Ｓ１０７）、Ｓ１０８へ進む。
【００５１】
Ｓ１０８にて、紙幣処理部２５は、紙幣カセット２０４Ａ〜紙幣カセット２０４Ｃへの補充が完了するまで（Ｓ１０８：Ｎｏ）、Ｓ１０２〜Ｓ１０８の処理を繰り返し行う。紙幣処理部２５は、紙幣カセット２０４Ａ〜紙幣カセット２０４Ｃへの補充が完了すると（Ｓ１０８：Ｙｅｓ）、金種毎のカウンタの値に基づいて補充額を算出する（Ｓ１０９）。取引処理装置２は、紙幣処理部２５が算出した補充額を取引額として、通信部２７を介してホストコンピュータ３に通知する（Ｓ１１０）。
【００５２】
以上のように、紙幣処理部２５は、補充用カセット２０６に収納されている紙幣Ｓを識別して、紙幣カセット２０４Ａ〜紙幣カセット２０４Ｃに補充する。この際、紙幣処理部２５は、金種毎のカウンタを用いて、補充した紙幣Ｓの枚数を金種毎にカウントしているため、取引処理装置２に補充した金額を正確に把握することができる。
【００５３】
また、ホストコンピュータ３は、当該取引処理装置２の現在高に、取引処理装置２から通知された取引額（紙幣Ｓの金種毎の枚数）を加算するため、補充処理後であっても現在高を正確に把握することができる。
【００５４】
次に、出金処理の詳細について、図６を参照して説明する。図６は、出金処理の処理フローを示すフローチャートである。取引処理装置２は、ユーザが出金取引を行う（出金取引金額が指定される）と、図６に示す処理を行う。図６に示すように、取引処理装置２の紙幣処理部２５は、金種毎のカウンタをリセットする（Ｓ２０１）。この金種毎のカウンタは、出金する紙幣Ｓの金種毎の枚数をカウントする。
【００５５】
紙幣処理部２５は、出金取引金額に応じて、紙幣カセット２０４Ａ〜紙幣カセット２０４Ｃから紙幣Ｓを１枚ずつ繰り出す（Ｓ２０２）。例えば、紙幣処理部２５は、出金取引金額（例えば３万円）に応じて、例えば万円札を紙幣カセット２０４Ａから繰り出す。
【００５６】
紙幣処理部２５は、繰り出された紙幣Ｓの金種を紙幣識別部２０２にて識別する（Ｓ２０３）。この際、紙幣識別部２０２は、紙幣Ｓの真偽についても識別する。紙幣処理部２５は、紙幣識別部２０２にて紙幣Ｓの金種を識別できる（Ｓ２０４：Ｙｅｓ）と、紙幣Ｓの金種に応じたカウンタをカウントアップする（Ｓ２０５）。紙幣処理部２５は、入出金口２０１に紙幣Ｓを収納して（Ｓ２０６）、Ｓ２１１へ進む。
【００５７】
また、紙幣処理部２５は、紙幣識別部２０２にて紙幣Ｓの金種を識別できなかった場合に（Ｓ２０４：Ｎｏ）、識別できなかった紙幣Ｓをリジェクト紙幣とみなして、紙幣識別部２０２にて枚数を判別する（Ｓ２０７）。なお、紙幣識別部２０２における紙幣の枚数判別方法については後述する。
【００５８】
紙幣処理部２５は、リジェクト紙幣の枚数が判別可能な場合に（Ｓ２０７：Ｙｅｓ）、リジェクト紙幣を繰り出した紙幣カセット２０４Ａ〜紙幣カセット２０４Ｃから金種を判断して、リジェクト情報管理テーブル（図３参照）を更新する（Ｓ２０８）。そして、紙幣処理部２５は、リジェクト紙幣をリジェクトカセット２０５へ収納して（Ｓ２０９）、Ｓ２１１へ進む。
【００５９】
また、紙幣処理部２５は、リジェクト紙幣の枚数が判別できない場合に（Ｓ２０７：Ｎｏ）、リジェクト情報管理テーブル（図３参照）の「不明紙幣の有無」を「有」に更新する（Ｓ２１０）。そして、紙幣処理部２５は、当該リジェクト紙幣をリジェクトカセット２０５へ収納して（Ｓ２０９）、Ｓ２１１へ進む。
【００６０】
Ｓ２１１にて、紙幣処理部２５は、金種毎のカウンタを参照して、入出金口２０１に収納した紙幣Ｓが出金取引金額に一致するまで（Ｓ２１１：Ｎｏ）、Ｓ２０２〜Ｓ２１１の処理を繰り返し行う。紙幣処理部２５は、入出金口２０１に収納した紙幣Ｓが出金取引金額に一致すると（Ｓ２１１：Ｙｅｓ）、入出金口２０１を開けて、紙幣Ｓを出金する（Ｓ２１２）。そして、取引処理装置２は、出金取引金額を取引額として、通信部２７を介してホストコンピュータ３に通知する（Ｓ２１３）。
【００６１】
以上のように、紙幣処理部２５は、紙幣カセット２０４Ａ〜紙幣カセット２０４Ｃに収納されている紙幣Ｓを識別して、紙幣カセット２０４Ａ〜紙幣カセット２０４Ｃに含まれるリジェクト紙幣をリジェクトカセット２０５へ収納する。このため、紙幣処理部２５は、リジェクト紙幣を繰り出した紙幣カセット２０４Ａ〜紙幣カセット２０４Ｃに収納される紙幣Ｓの金種に応じて、リジェクト紙幣の金種を判断することができる。
【００６２】
また、ホストコンピュータ３は、当該取引処理装置２の現在高に、取引処理装置２から通知された取引額（紙幣Ｓの金種毎の枚数）を加算するため、補充処理後であっても現在高を正確に把握することができる。
【００６３】
次に、入金処理の詳細について、図７を参照して説明する。図７、図８は、入金処理の処理フローを示すフローチャートである。図７は、入金取引の処理を示し、図８は、入金取引確定後、入金された紙幣を紙幣カセットへ収納する処理を示す。取引処理装置２の紙幣処理部２５は、ユーザが入金取引を行う（入出金口２０１に紙幣Ｓが入れる）と、図７に示す処理を行う。
【００６４】
図７に示すように、取引処理装置２の紙幣処理部２５は、金種毎のカウンタをリセットする（Ｓ３０１）。この金種毎のカウンタは、入金する紙幣Ｓの金種毎の枚数をカウントする。
【００６５】
紙幣処理部２５は、入出金口２０１に収納された紙幣Ｓを１枚ずつ繰り出して（Ｓ３０２）、当該紙幣Ｓの金種を紙幣識別部２０２にて識別する（Ｓ３０３）。この際、紙幣識別部２０２は、紙幣Ｓの真偽についても識別する。
【００６６】
紙幣処理部２５は、紙幣識別部２０２にて紙幣Ｓの金種を識別できる（Ｓ３０４：Ｙｅｓ）と、紙幣Ｓの金種に応じたカウンタをカウントアップして（Ｓ３０５）、一時保留部２０３に紙幣Ｓを収納して（Ｓ３０６）、Ｓ３０８へ進む。
【００６７】
また、紙幣処理部２５は、紙幣識別部２０２にて紙幣Ｓの金種を識別できなかった場合に（Ｓ３０４：Ｎｏ）、当該紙幣Ｓを返却口へ搬送して（Ｓ３０７）、Ｓ３０８へ進む。
【００６８】
紙幣処理部２５は、入出金口２０１の紙幣Ｓが空になるまで（Ｓ３０８：Ｎｏ）、Ｓ３０２〜Ｓ３０８の処理を繰り返し行う。紙幣処理部２５は、入出金口２０１の紙幣Ｓが空になると（Ｓ３０８：Ｙｅｓ）、返却口に紙幣が有るかを調べる（Ｓ３０９）。紙幣処理部２５は、返却口に紙幣が有る場合に（Ｓ３０９：Ｙｅｓ）、当該紙幣を返却して（Ｓ３１０）、Ｓ３１１へ進む。紙幣処理部２５は、返却口に紙幣がない場合に（Ｓ３０９：Ｎｏ）、Ｓ３１１へ進む。
【００６９】
紙幣処理部２５は、紙幣Ｓの金種に応じたカウンタに基づいて、入金取引金額を表示する（Ｓ３１１）。紙幣処理部２５は、ユーザによって、入金取引金額が確定されたら（Ｓ３１２：Ｙｅｓ）、入金取引を確定して、金種毎のカウンタの値を一時記憶する（Ｓ３１３）。そして、取引処理装置２は、入金取引金額を取引額として、通信部２７を介してホストコンピュータ３に通知する（Ｓ３１４）。
【００７０】
また、紙幣処理部２５は、入金取引金額が確定しない場合に（Ｓ３１２：Ｎｏ）、一時保留部２０３の紙幣を返却口へ搬送して返却する（Ｓ３１５）。なお、紙幣処理部２５は、入金取引金額が確定しない場合に、一時保留部２０３の紙幣を返却せずに、ユーザに追加入金させてもよい。
【００７１】
以上より、ホストコンピュータ３は、当該取引処理装置２の現在高に、取引処理装置２から通知された取引額（紙幣Ｓの金種毎の枚数）を加算するため、補充処理後であっても現在高を正確に把握することができる。
【００７２】
図８に示すように、紙幣処理部２５は、入金取引が確定すると、金種毎のカウンタ及びリジェクト用カウンタをリセットする（Ｓ４０１）。この金種毎のカウンタは、紙幣カセット２０４Ａ〜紙幣カセット２０４Ｃに収納した紙幣Ｓの金種毎の枚数をカウントする。このリジェクト用カウンタは、リジェクトカセットに収納される紙幣Ｓの枚数をカウントする。
【００７３】
紙幣処理部２５は、一時保留部２０３から紙幣Ｓを１枚ずつ繰り出し（Ｓ４０２）、紙幣Ｓの金種を紙幣識別部２０２にて識別する（Ｓ４０３）。この際、紙幣識別部２０２は、紙幣Ｓの真偽についても識別する。
【００７４】
紙幣処理部２５は、紙幣識別部２０２にて紙幣Ｓの金種を識別できる（Ｓ４０４：Ｙｅｓ）と、紙幣Ｓが紙幣カセット２０４Ａ〜紙幣カセット２０４Ｃに収納可能な金種（万円、千円）であるか判断する（Ｓ４０５）。紙幣処理部２５は、紙幣Ｓが紙幣カセット２０４Ａ〜紙幣カセット２０４Ｃに収納可能な金種であった場合に（Ｓ４０５：Ｙｅｓ）、紙幣Ｓの金種に応じたカウンタをカウントアップする（Ｓ４０６）。そして、紙幣処理部２５は、紙幣カセット２０４Ａ〜紙幣カセット２０４Ｃのうち、該当する紙幣カセットに紙幣Ｓを収納して（Ｓ４０７）、Ｓ４１２へ進む。
【００７５】
また、紙幣処理部２５は、紙幣識別部２０２にて紙幣Ｓの金種を識別できない場合に（Ｓ４０４：Ｎｏ）、識別できなかった紙幣Ｓをリジェクト紙幣とみなして、紙幣識別部２０２にて枚数を判別する（Ｓ４０８）。なお、紙幣識別部２０２における紙幣の枚数判別方法については後述する。紙幣処理部２５は、リジェクト紙幣の枚数が判別可能な場合に（Ｓ４０８：Ｙｅｓ）、リジェクト紙幣の枚数分だけリジェクト用カウンタをカウントアップする（Ｓ４０９）。紙幣処理部２５は、リジェクト紙幣をリジェクトカセット２０５へ収納して（Ｓ４１１）、Ｓ４１２へ進む。
【００７６】
また、紙幣処理部２５は、リジェクト紙幣の枚数が判別できない場合に（Ｓ４０８：Ｎｏ）、リジェクト情報管理テーブル（図３参照）の「不明紙幣の有無」を「有」に更新する（Ｓ４１０）。そして、紙幣処理部２５は、当該リジェクト紙幣をリジェクトカセット２０５へ収納して（Ｓ４１１）、Ｓ４１２へ進む。
【００７７】
更に、紙幣処理部２５は、紙幣Ｓが紙幣カセット２０４Ａ〜紙幣カセット２０４Ｃに収納できない紙幣（例えば、５千円札や２千円札等）である場合に（Ｓ４０５：Ｎｏ）、当該紙幣Ｓの枚数分だけ、リジェクト用カウンタをカウントアップする（Ｓ４０９）。紙幣処理部２５は、当該紙幣Ｓをリジェクト紙幣としてリジェクトカセット２０５へ収納して（Ｓ４１１）、Ｓ４１２へ進む。
【００７８】
Ｓ４１２にて、紙幣処理部２５は、一時保留部２０３からの紙幣Ｓの繰り出しが完了するまで（Ｓ４１２：Ｎｏ）、Ｓ４０２〜Ｓ４１２の処理を繰り返し行う。紙幣処理部２５は、一時保留部２０３からの紙幣Ｓの繰り出しが完了すると（Ｓ４１２：Ｙｅｓ）、一時保留部に収納されていた紙幣Ｓの枚数（Ｓ３１３で一時記憶した金種毎のカウンタの合計値）が、紙幣カセット２０４Ａ〜紙幣カセット２０４Ｃに収納された紙幣Ｓの枚数（金種毎のカウンタの合計値）とリジェクトカセット２０５に収納されたリジェクト紙幣の枚数（リジェクト用カウンタの値）との合計枚数に、一致するか否か調べる（Ｓ４１３）。
【００７９】
紙幣処理部２５は、一致する場合に（Ｓ４１３：Ｙｅｓ）、金種毎のカウンタの値に基づいてリジェクト紙幣の金種を推定して（Ｓ４１４）、Ｓ４１６へ進む。例えば、紙幣処理部２５は、一時記憶する万円のカウンタが２で千円のカウンタが５（Ｓ３１３で一時記憶するカウンタ）、且つ万円のカウンタが１で千円のカウンタが５（Ｓ４０６でカウントするカウンタ）、且つリジェクト用カウンタが１（Ｓ４０９でカウントするカウンタ）であった場合に、金種毎のカウンタの差分を求めることで、リジェクト紙幣が１枚の万円札であったと推定する。紙幣処理部２５は、一致しない場合に（Ｓ４１３：Ｎｏ）、リジェクト情報管理テーブル（図３参照）の「不明紙幣の有無」を「有」に更新して（Ｓ４１５）、Ｓ４１６へ進む。Ｓ４１６にて、紙幣処理部２５は、リジェクト情報管理テーブルを更新する。
【００８０】
以上より、紙幣処理部２５は、入金取引時に、紙幣Ｓの金種を識別して一時保留部２０３に収納し、入金取引確定後に、一時保留部２０３に収納した紙幣Ｓを再度識別して、リジェクト紙幣をリジェクトカセット２０５に収納する。このため、紙幣処理部２５は、入金取引に識別した紙幣の金種毎の枚数から紙幣カセット２０４Ａ〜紙幣カセット２０４Ｃに収納した金種毎の枚数を差分することで、リジェクト紙幣として識別された紙幣の金種を確実に推定することができる。また、一時保留部２０３に収納した紙幣Ｓの枚数と、紙幣カセット２０４Ａ〜紙幣カセット２０４Ｃに収納した金種毎の枚数とリジェクトカセット２０５とに収納した枚数との合計枚数と、が一致するか調べることで、例えば、紙幣カセット２０４Ａ〜紙幣カセット２０４Ｃやリジェクトカセット２０５に紛れ込んでしまった紙幣Ｓがあることがわかる。
【００８１】
次に、紙幣識別部２０２における紙幣Ｓの枚数判別方法について、図９〜図１５を参照して説明する。図９は、紙幣識別部における紙幣の枚数を判別する機構の説明図である。図１０、図１１は、紙幣が傾かずに搬送された例を示す。図１２、図１３は、紙幣が傾いて搬送された例を示す。図１４、図１５は、２枚の紙幣が同時に搬送された例を示す。図１０、図１２、図１４は、紙幣搬送路上の紙幣を示し、図１１、図１３、図１５は、センサの出力結果を示す。
【００８２】
図９に示すように、紙幣識別部２０２は、紙幣搬送路Ｌの搬送方向と直角な方向に、基準ローラ３０１、変位ローラ３０２、センサ３０３を対にして配置する。紙幣識別部２０２は、基準ローラ３０１を紙幣搬送路Ｌの下面に固定して配置し、変位ローラ３０２を紙幣搬送路Ｌの上面に配置する。変位ローラ３０２は、紙幣Ｓが基準ローラ３０１と変位ローラ３０２との間を通過すると、紙幣Ｓの厚みにより変位する。センサ３０３は、変位ローラ３０２の変位量を検出して出力する。
【００８３】
具体的には、図１０、図１１に示すように、センサ３０３を紙幣搬送路Ｌの一端から順にセンサＴ１〜センサＴ１１とする。紙幣Ｓが傾かずに搬送された場合、センサＴ２〜センサＴ９は、対となる変位ローラ３０２の変位量（紙幣Ｓの厚み）を検出する。センサＴ２〜センサＴ９は、それぞれ変位ローラ３０２の変位量を検出している間、当該変位量（１）を出力する。紙幣識別部２０２は、センサ毎に紙幣Ｓを検出した検出値を算出する。この検出値は、各センサが検出した変位量（１）と検出した距離（すなわち、紙幣Ｓの搬送方向の長さであり、例えば、紙幣Ｓの長さと同じ７６ｍｍ）との乗算値となる。そして、紙幣識別部２０２は、全センサの検出値を加算した値（すなわち、紙幣Ｓの体積）（６０８）を測定値として用いる。
【００８４】
紙幣識別部２０２は、紙幣Ｓの搬送位置によって生じるセンサ３０３の１個分の誤差と金種毎の紙幣サイズの差とを考慮して、傾かずに搬送された１枚の紙幣Ｓの測定値の±２０％の範囲内となる値を規定値（６０８×８０％〜６０８×１２０％）とする。紙幣識別部２０２は、算出した測定値が、規定値のｎ倍範囲内であれば、ｎ枚の紙幣Ｓであると判断する。その範囲内になければ、例えば、紙幣Ｓが半券である場合などは、紙幣Ｓの枚数が判別できないと判断する。
【００８５】
なお、紙幣識別部２０２は、同時に搬送される紙幣Ｓの枚数が多くなると、規定値をｎ倍した値とｎ＋１倍した値とが重なるため、ｎを確定することができない。しかしながら、実際、同時に搬送される紙幣Ｓの枚数が２枚か３枚であるため、紙幣識別部２０２は、上述の判別方法でｎを確定することができる。
【００８６】
また、図１２、図１３に示すように、紙幣Ｓが傾いて搬送された場合、センサＴ２〜センサＴ１０は、対となる変位ローラ３０２の変位量（紙幣Ｓの厚み）を検出する。例えば、センサＴ３の検出値は、変位ローラ３０２の変位量（１）と検出した距離（例えば、紙幣Ｓの長さより長い７７．２ｍｍ）との乗算値となる。そして、紙幣識別部２０２は、センサＴ２〜センサＴ１０の検出値を加算して、測定値（６０２）を算出する。紙幣識別部２０２は、当該測定値（６０２）が規定値の範囲内であるため、１枚の紙幣Ｓと判断する。
【００８７】
また、図１４、図１５に示すように、２枚の紙幣Ｓがずれて同時に搬送された場合（複数枚の紙幣Ｓが同時に搬送された場合）、センサＴ２〜センサＴ１１は、対となる変位ローラ３０２の変位量（紙幣Ｓの厚み）を検出する。例えば、センサＴ２、センサＴ１１の検出値は、それぞれ、変位ローラ３０２の変位量（１）に検出した距離（例えば、紙幣Ｓの長さと同じ７６ｍｍ）を乗算した値（７６）となる。また、センサＴ３〜センサＴ１０の面積は、それぞれ変位ローラ３０２の変位量（１）と検出した距離（例えば、１０ｍｍ）の乗算値（１０）と、変位ローラ３０２の変位量（２）と検出した距離（例えば、６６ｍｍ）の乗算値（２×６６）と、変位ローラ３０２の変位量（１）と検出した距離（例えば、１０ｍｍ）の乗算値（１０）と、を加算した値（１５２）となる。そして、紙幣識別部２０２は、センサＴ２〜センサＴ１０の検出値を加算して、測定値（１２１６）を算出する。紙幣識別部は、当該測定値（１２１６）が規定値の２倍の範囲内であるため、２枚の紙幣Ｓと判断する。
【００８８】
以上のように、紙幣識別部２０２は、傾いた紙幣Ｓや複数枚同時に搬送された紙幣Ｓであったとしても、センサ３０３が検出する変位ローラ３０２の変位量と当該変位量を検出している距離とに基づいて、紙幣Ｓの枚数を判別することができる。すなわち、紙幣識別部２０２は、搬送された紙幣Ｓの体積を測定することで、紙幣Ｓの枚数を判別することができる。
【００８９】
次に、精査判定処理の詳細について、図１６〜図１９を参照して説明する。図１６は、精査判定処理の処理フローを示すフローチャートである。図１７は、精査一覧画面の一例を示す図である。図１６に示すように、精査端末１は、ホストコンピュータ３に対して、取引処理装置２の現在高を通知するように現在高通知指示を行い（Ｓ５０１）、当該取引処理装置２の現在高を取得する（Ｓ５０２）。
【００９０】
精査端末１は、当該取引処理装置２に対して、精査処理を実行するように精査指示を行い（Ｓ５０３）、精査結果を取得する（Ｓ５０４）。この精査結果には、リジェクトカセット２０５の抜き取りの有無、計数処理の結果（各紙幣カセット２０４Ａ〜紙幣カセット２０４Ｃに収納されている紙幣の金種毎の枚数）、リジェクト紙幣の金種毎の枚数、及び不明紙幣の有無が含まれる。この精査処理の詳細については、後述する。
【００９１】
精査端末１は、精査結果に基づいて、リジェクトカセットの抜き取りが有る場合に（Ｓ５０５：Ｙｅｓ）、図１７に示すように「リジェクトカセット抜取有り」を表示する（Ｓ５０６）。また、精査端末１は、リジェクトカセットの抜き取りが無い場合に（Ｓ５０５：Ｎｏ）、精査結果に基づいて、不明紙幣が有るか調べる（Ｓ５０７）。
【００９２】
精査端末１は、不明紙幣が有る場合に（Ｓ５０７：Ｙｅｓ）、図１７に示すように「不明紙幣有り」を表示する（Ｓ５０８）。また、精査端末１は、不明紙幣が無い場合に（Ｓ５０７：Ｎｏ）、精査結果に基づいて、各紙幣カセット２０４Ａ〜紙幣カセット２０４Ｃに収納されている紙幣とリジェクト紙幣とを合計した金額が、現在高と一致するか調べる（Ｓ５０９）。
【００９３】
精査端末１は、現在高と一致する場合に（Ｓ５０９：Ｙｅｓ）、図１７に示すように「精査ＯＫ」を表示する（Ｓ５１０）。また、精査端末１は、現在高と一致しない場合に（Ｓ５０９：Ｎｏ）、図１７に示すように「精査ＮＧ」と表示する（Ｓ５１１）。
【００９４】
なお、精査端末１は、ホストコンピュータ３から現在高を取得したが、取引処理装置２が現在高を記憶しており、取引処理装置２から現在高を取得してもよい。そして、精査端末１は、取引処理装置２から取得した現在高を用いて金額が一致するか調べてもよいし、取引処理装置２から取得した現在高とホストコンピュータ３から取得した現在高とを用いて金額が一致するか調べてもよい。
【００９５】
以上より、精査端末１は、遠隔地に設置された取引処理装置２の精査を行うことができる。また、「精査ＯＫ」であればリジェクト紙幣も含めて精査が確定し、係員が取引処理装置２の設置場所へ行ってリジェクト貨幣の枚数を確認する必要がなくなり、係員の精査処理にかかる手間が大幅に削減できる。
【００９６】
次に、精査処理の詳細について、図１８を参照して説明する。図１８は、精査処理の処理フローを示すフローチャートである。取引処理装置２は、精査端末１から精査指示が通知されると、図１８に示す処理を行う。図１８に示すように、取引処理装置２の紙幣処理部２５は、リジェクトカセット２０５の抜き取りの有無を調べる（Ｓ６０１）。Ｓ６０１では、運用開始時の紙幣Ｓの補充処理から精査処理の間にリジェクトカセットの抜き取りがあったかどうかをチェックしている。リジェクトカセット２０５の抜き取りの有無を検知する機構については、後述する。
【００９７】
紙幣処理部２５は、全紙幣カセット２０４Ａ〜紙幣カセット２０４Ｃに収納されている紙幣Ｓの金種毎の枚数を計数する計数処理（図１９参照）を行う（Ｓ６０２）。
【００９８】
紙幣処理部２５は、リジェクト情報管理テーブル（図３参照）を参照して、リジェクト紙幣の金種毎の枚数及び不明紙幣の有無を取得する（Ｓ６０３）。
【００９９】
取引処理装置２は、リジェクトカセット２０５の抜き取りの有無、計数処理の結果（各紙幣カセット２０４Ａ〜紙幣カセット２０４Ｃに収納されている紙幣の金種毎の枚数）、リジェクト紙幣の金種毎の枚数、及び不明紙幣の有無を精査結果として、精査端末に通知する（Ｓ６０４）。
【０１００】
次に、計数処理の詳細について、図１９を参照して説明する。図１９は、計数処理の処理フローを示すフローチャートである。紙幣処理部２５は、金種毎のカウンタをリセットする（Ｓ７０１）。この金種毎のカウンタは、紙幣カセット２０４Ａ〜紙幣カセット２０４Ｃに収納されている紙幣Ｓの金種毎の枚数をカウントする。
【０１０１】
紙幣処理部２５は、紙幣カセット（まず万円札が収納された紙幣カセット２０４Ａ及び紙幣カセット２０４Ｂ）が空になるまで、紙幣Ｓを繰り出し、補充用カセット２０６の補充部２０６Ａに収納する（Ｓ７０２）。補充用カセット２０６の補充部２０６Ａは、空であったため、Ｓ７０２の処理を行うことで、紙幣カセット２０４Ａ及び紙幣カセット２０４Ｂの紙幣Ｓのみが収納されたことになる。
【０１０２】
紙幣処理部２５は、補充用カセット２０６の補充部２０６Ａから紙幣Ｓを１枚ずつ繰り出して（Ｓ７０３）、紙幣Ｓの金種を紙幣識別部２０２にて識別する（Ｓ７０４）この際、紙幣識別部２０２は、紙幣Ｓの真偽についても識別する。紙幣処理部２５は、紙幣識別部２０２にて紙幣Ｓの金種を識別できる（Ｓ７０５：Ｙｅｓ）と、紙幣Ｓの金種に応じたカウンタをカウントアップする（Ｓ７０６）。紙幣処理部２５は、金種に応じた紙幣カセットに紙幣Ｓを収納して（Ｓ７０７）、Ｓ７１２へ進む。
【０１０３】
また、紙幣処理部２５は、紙幣識別部２０２にて紙幣Ｓの金種を識別できなかった場合に（Ｓ７０５：Ｎｏ）、識別できなかった紙幣Ｓをリジェクト紙幣とみなして、紙幣識別部２０２にて枚数を判別する（Ｓ７０８）。
【０１０４】
紙幣処理部２５は、リジェクト紙幣の枚数が判別可能な場合に（Ｓ７０８：Ｙｅｓ）、補充用カセット２０６の補充部２０６Ａに紙幣を収納した紙幣カセットから金種を判断して、リジェクト情報管理テーブル（図３参照）を更新する（Ｓ７０９）。そして、紙幣処理部２５は、リジェクト紙幣をリジェクトカセット２０５へ収納して（Ｓ７１０）、Ｓ７１２へ進む。
【０１０５】
また、紙幣処理部２５は、リジェクト紙幣の枚数が判別できない場合に（Ｓ７０８：Ｎｏ）、リジェクト情報管理テーブル（図３参照）の「不明紙幣の有無」を「有」に更新する（Ｓ７１１）。そして、紙幣処理部２５は、当該リジェクト紙幣をリジェクトカセット２０５へ収納して（Ｓ７１０）、Ｓ７１２へ進む。
【０１０６】
Ｓ７１２にて、紙幣処理部２５は、補充用カセット２０６の補充部２０６Ａが空になるまで（Ｓ７１２：Ｎｏ）、Ｓ７０３〜Ｓ７１２の処理を繰り返し行う。紙幣処理部２５は、補充用カセット２０６の補充部２０６Ａが空になると（Ｓ７１２：Ｙｅｓ）、他の金種が収納された紙幣カセット（次に、千円札が収納された紙幣カセット２０４Ｃ）について（Ｓ７１３：Ｎｏ）、Ｓ７０２〜Ｓ７１３の処理を行う。
【０１０７】
紙幣処理部２５は、紙幣カセット２０４Ａ〜紙幣カセット２０４Ｃの全てについて、Ｓ７０２〜Ｓ７０３の処理が完了すると（Ｓ７１３：Ｙｅｓ）、紙幣カセットから新たに繰り出した紙幣を仕切紙幣としてリジェクトカセット２０５へ収納する（Ｓ７１４）。この際、紙幣処理部２５は、紙幣識別部２０２にて仕切紙幣の記番号（ＡＡＡＡＡＡＡＡ）を識別し、リジェクト情報管理テーブル（図３参照）の「仕切紙幣」に「ＡＡＡＡＡＡＡＡ」を登録する。以上より、紙幣処理部２５は、全紙幣カセットに収納された計数処理を完了する。
【０１０８】
また、紙幣処理部２５は、計数処理後（すなわち精査後）に仕切紙幣をリジェクトカセット２０５へ収納するため、精査処理完了前のリジェクト紙幣か、精査処理完了後のリジェクト紙幣かを識別することができる。この結果、係員は、実際にリジェクトカセット２０５の紙幣を調べなければならない場合であっても、リジェクトカセット２０５から精査処理完了前のリジェクト紙幣のみを取り出して調べることができる。
【０１０９】
次に、リジェクトカセット２０５の抜き取りの有無を検知する機構について、図２０、図２１を参照して説明する。図２０は、リジェクトカセットの格納時の説明図である。図２１は、リジェクトカセットの抜き取り時の説明図である。
【０１１０】
電源オン時、図２０に示すように、リジェクトカセット２０５の格納時、センサ５０７（例えば、圧力センサ）は、リジェクトカセット２０５の底辺に当接する。また、図２１に示すように、リジェクトカセット２０５の抜き取り後、センサ５０７は、リジェクトカセット２０５の底辺から離れる。紙幣処理部２５は、センサ５０７がリジェクトカセット２０５に当接していないことを検知すると、リジェクトカセットの抜き取りを検知して、リジェクト情報管理テーブル（図３参照）の「リジェクトカセット抜取の有無」を「有」に更新する。以上より、電源オン時、紙幣処理部２５は、センサ５０７を用いて、リジェクトカセット２０５の抜き取りを検知することができる。
【０１１１】
また、紙幣処理部２５は、リジェクトカセット２０５を格納すると、制御部２１からの指示に基づいて、ソレノイド５０５を駆動させる。ソレノイド５０５が第２レバー５０２の下側をリジェクトカセット２０５側に引っ張るため、第２レバー５０２は、支点５０４を中心として可動し、第２レバー５０２の上側に設けた鍵部から第１レバー５０１が外れる。第１レバー５０１は、支点５０３を中心として可動し、第２レバー５０２の反対側の先端で固定ガイド板５０８に接する。
【０１１２】
電源オフ時、紙幣処理部２５は、リジェクトカセット２０５が抜き取られると、固定ガイド板５０８が第１レバー５０１（第２レバー５０２の反対側）を押し上げる。第１レバー５０１は、支点５０３を中心として可動し、第１レバー５０１側の先端（第２レバー５０２側）が第２レバー５０２の上部に設けた鍵部に嵌る。この結果、第１レバー５０１がセンサ５０６を押した状態となる。
【０１１３】
この状態でリジェクトカセット２０５が格納されたとしても、紙幣処理部２５は、電源がオフされており、ソレノイド５０５を駆動させないため、第１レバー５０１、及び第２レバー５０２を可動させない。
【０１１４】
電源がオンされると、紙幣処理部２５は、センサ５０６が第１レバー５０１に当接していることを検知するため、リジェクトカセットの抜き取りを検知して、リジェクト情報管理テーブル（図３参照）の「リジェクトカセット抜取の有無」を「有」に更新する。
【０１１５】
また、リジェクトカセット２０５が抜き取られていない場合、紙幣処理部２５は、センサ５０６が第１レバー５０１に当接していないことを検知する。
【０１１６】
以上より、紙幣処理部２５は、電源オフ時にリジェクトカセット２０５が抜き取られていたことを検知することができる。すなわち、取引処理装置２は、リジェクトカセット２０５に収納されている紙幣Ｓを抜き取られた可能性があることが分かる。
【０１１７】
なお、本実施形態では、紙幣の精査について例を挙げて説明したが、硬貨に対しても精査が行える。
【０１１８】
なお、本実施形態では、リジェクト情報管理テーブルは、紙幣処理部２５及び硬貨処理部２６がそれぞれ記憶するとしたが、制御部２１が記憶するとしてもよい。
【０１１９】
なお、本実施形態では、リジェクトカセット２０５に収納した紙幣Ｓの金種毎の枚数を管理したが、リジェクトカセット２０５に収納した紙幣Ｓの枚数のみを管理してもよい。リジェクトカセット２０５に収納した紙幣Ｓの金種毎の枚数を用いて精査した方が紙幣Ｓの枚数のみを用いて精査するよりも、精査の精度を上げることができる。
【０１２０】
なお、本実施形態では、精査端末１による精査判定の結果として、図１７に示す精査一覧画面を表示したが、精査一覧画面の内容をプリンタ（不図示）へ出力してもよい。また、図２２に示すような精査表を表示したり、出力したりしてもよい。図２２は、精査表の一例を示す図である。図２２に示す精査表を表示する場合、精査端末１は、精査判定結果の履歴を自装置内に記憶する。また、精査端末１は、図１６に示すフローチャートにおいて、リジェクトカセット２０５の抜き取りが有る場合（Ｓ５０５：Ｙｅｓ）や、不明紙幣が有る場合に（Ｓ５０７：Ｙｅｓ）、処理を終了したが、そのまま続行すればよい。
【０１２１】
なお、本実施形態では、精査端末１が精査判定処理を行ったが、取引処理装置２が自装置内の精査判定を行い、精査判定結果を精査端末１に出力してもよい。この場合は、精査端末１が精査判定処理を行うことで生じる負荷を、各取引処理装置２に分散することができる。
【０１２２】
なお、本実施形態では、図５のＳ１０８にて、紙幣カセット２０４Ａ〜紙幣カセット２０４Ｃの補充が完了するまで、補充用カセット２０６の補充部２０６Ａから紙幣Ｓを補充した。しかし、補充用カセット２０６の補充部２０６Ａが空になるまで、紙幣カセット２０４Ａ〜紙幣カセット２０４Ｃに紙幣Ｓを補充してもよい。
【０１２３】
なお、本実施形態では、紙幣識別部２０２は、紙幣Ｓの体積に基づいて紙幣Ｓの枚数を判別したが、紙幣Ｓの面積に基づいて紙幣Ｓの枚数を判別してもよい。この場合、紙幣識別部２０２は、変位量を検出したセンサＴ２〜センサＴ９の数（８個）に基づいて紙幣Ｓの搬送方向に直角な方向の長さを算出する。例えば、各センサ間が２０ｍｍの場合、紙幣Ｓの搬送方向に直角な方向の長さは約１６０ｍｍとなる。紙幣識別部２０２は、紙幣Ｓの搬送方向の長さと当該搬送方向に直角な方向の長さとから、紙幣Ｓの面積を算出する。紙幣識別部２０２は、算出した紙幣Ｓの面積と実際の紙幣Ｓの面積との比較結果に基づいて、紙幣Ｓの枚数を判別する。
【符号の説明】
【０１２４】
１…精査端末，２…取引処理装置，２０１…入出金口，２０２…紙幣識別部，２０３…一時保留部，２０４Ａ〜２０４Ｃ…紙幣カセット，２０５…リジェクトカセット，２０６…補充用カセット，２０６Ａ…補充部，２０６Ｂ…補充リジェクト部，２１…制御部，２２…操作部，２３…明細書処理部，２４…通帳処理部，２５…紙幣処理部，２６…硬貨処理部，２７…通信部，３…ホストコンピュータ，３０１…基準ローラ，３０２…変位ローラ，３０３…センサ，５０１…第１レバー，５０２…第２レバー，５０３，５０４…支点，５０５…ソレノイド，５０６，５０７…センサ，５０８…固定ガイド板，Ｌ…紙幣搬送路，Ｓ…紙幣，Ｔ１〜Ｔ１１…センサ
【図１】
0005528019.tif 000002
【図２】
0005528019.tif 000003
【図３】
0005528019.tif 000004
【図４】
0005528019.tif 000005
【図５】
0005528019.tif 000006
【図６】
0005528019.tif 000007
【図７】
0005528019.tif 000008
【図８】
0005528019.tif 000009
【図９】
0005528019.tif 000010
【図１０】
0005528019.tif 000011
【図１１】
0005528019.tif 000012
【図１２】
0005528019.tif 000013
【図１３】
0005528019.tif 000014
【図１４】
0005528019.tif 000015
【図１５】
0005528019.tif 000016
【図１６】
0005528019.tif 000017
【図１７】
0005528019.tif 000018
【図１８】
0005528019.tif 000019
【図１９】
0005528019.tif 000020
【図２０】
0005528019.tif 000021
【図２１】
0005528019.tif 000022
【図２２】
0005528019.tif 000023